(57)【特許請求の範囲】
【請求項１】
サーバと通信するクライアント・システムのウェブ・ブラウザのために表示装置上に表示される画像の少なくとも１つの表示特性を調整する方法であって、前記クライアント・システムはユーザが前記サーバにアクセスするのを可能にするグラフィカル・ユーザ・インタフェースを備え、前記表示装置は、前記表示特性を制御するための１つ以上の画像調整コントロールを備える方法において、
ユーザ入力を前記クライアント・システムにおいて受け取って、前記グラフィカル・ユーザ・インタフェースを介して前記サーバとの通信を開始するために、前記クライアント・システムが前記サーバから、前記１つ以上の画像調整コントロールの調整を指示する指示を含む画像調整画面へのアンカーを有する画面制御画面をダウンロードするステップと、
前記画面制御画面へのユーザ入力を前記クライアント・システムにおいて受け取って、前記表示特性を調整するために、前記表示装置に前記画像調整画面を表示するステップと、
前記画像調整画面における前記指示に対応する前記画像調整コントロールを操作して前記表示特性を調整するよう前記ユーザに指示するステップと、
前記画像調整画面上において、前記の選択された表示特性とは異なる表示特性を選択するために前記アンカーを操作することを前記ユーザに促すステップと、
を備える方法。
【請求項２】
少なくとも１つのサーバと通信するクライアント・システムのウェブ・ブラウザのために表示装置上に表示される画像の少なくとも１つの表示特性を調整する方法であって、前記クライアント・システムはユーザが前記サーバにアクセスできるグラフィカル・ユーザ・インタフェースとプロセッサとを備え、前記表示装置は、前記表示特性を制御するための１つ以上の画像調整コントロールを備える方法において、
前記プロセッサに、
ユーザ入力を前記クライアント・システムにおいて受け取って、前記グラフィカル・ユーザ・インタフェースを介して前記サーバとの通信を開始するために、前記クライアント・システムに、前記１つ以上の画像調整コントロールの調整を指示する指示を含む画像調整画面へのアンカーを有する画面制御画面を前記サーバからダウンロードするステップと、
前記画面制御画面へのユーザ入力を前記クライアント・システムにおいて受け取って、前記表示特性を調整するために、前記表示装置に前記画像調整画面を表示するステップと、
前記画像調整画面における前記指示に対応する前記画像調整コントロールを操作して前記表示特性を調整するよう前記ユーザに指示するステップと、
前記画像調整画面上において、前記の選択された表示特性とは異なる表示特性を選択するために前記アンカーを操作することを前記ユーザに促すステップと、
を実行させる方法。
【請求項３】
ネットワークを介して少なくとも１つのサーバと通信するクライアント・システムのウェブ・ブラウザのために表示装置上に表示される画像の少なくとも１つの表示特性を調整するクライアント処理システムであって、
ユーザが前記サーバにアクセスすることを可能にするグラフィカル・ユーザ・インタフェースと、
前記表示装置に結合されたプロセッサと、
前記プロセッサに結合され、命令シーケンスを記憶するメモリであって、前記命令シーケンスが前記プロセッサによって実行されるとき、前記プロセッサに、
ユーザ入力を前記クライアント・システムにおいて受け取って、前記グラフィカル・ユーザ・インタフェースを介して前記サーバとの通信を開始するために、前記クライアント・システムに、前記１つ以上の画像調整コントロールの調整を指示する指示を含む画像調整画面へのアンカーを有する画面制御画面を前記サーバからダウンロードするステップと、
前記画面制御画面へのユーザ入力を前記クライアント・システムにおいて受け取って、前記表示特性を調整するために、前記表示装置に前記画像調整画面を表示するステップと、
前記画像調整画面における前記指示に対応する前記画像調整コントロールを操作して前記表示特性を調整するよう前記ユーザに指示するステップと、
前記画像調整画面上において、前記の選択された表示特性とは異なる表示特性を選択するために前記アンカーを操作することを前記ユーザに促すステップと、
を実行させるメモリと、
を具備するクライアント処理システム。
【請求項４】
ネットワークを介して少なくとも１つのサーバと通信するクライアント・システムのウェブ・ブラウザのために、ＷＷＷコンテントを含む対話型表示環境を通じて、表示装置上に表示される画像の表示特性を調整する装置であって、
ユーザが前記サーバにアクセスすることを可能にするグラフィカル・ユーザ・インタフェースと、
前記表示装置に結合されたプロセッサと、
を具備し、
前記プロセッサが、
ユーザ入力を前記クライアント・システムにおいて受け取って、前記グラフィカル・ユーザ・インタフェースを介して前記サーバとの通信を開始するために、前記クライアント・システムに、前記１つ以上の画像調整コントロールの調整を指示する指示を含む画像調整画面へのアンカーを有する画面制御画面を前記サーバからダウンロードする手段と、
前記画面制御画面へのユーザ入力を前記クライアント・システムにおいて受け取って、前記表示特性を調整するために、前記表示装置に前記画像調整画面を表示する手段と、
前記画像調整画面における前記指示に対応する前記画像調整コントロールを操作して前記表示特性を調整するよう前記ユーザに指示する手段と、
前記画像調整画面上において、前記の選択された表示特性とは異なる表示特性を選択するために前記アンカーを操作することを前記ユーザに促す手段と、
を備える装置。
【請求項５】
サーバと通信するクライアント・システムのウェブ・ブラウザのために表示装置上に表示される画像の少なくとも１つの表示特性を調整する方法を前記クライアント・システムに実行させるプログラムを記憶したコンピュータ読み取り可能な媒体であって、前記クライアント・システムはユーザが前記サーバにアクセスすることを可能にするグラフィカル・ユーザ・インタフェースを備え、前記表示装置は、前記表示特性を制御するための１つ以上の画像調整コントロールを備えるコンピュータ読み取り可能な媒体において、
前記方法が、
ユーザ入力を前記クライアント・システムにおいて受け取って、前記グラフィカル・ユーザ・インタフェースを介して前記サーバとの通信を開始するために、前記クライアント・システムが前記サーバから、前記１つ以上の画像調整コントロールの調整を指示する指示を含む画像調整画面へのアンカーを有する画面制御画面をダウンロードするステップと、
前記画面制御画面へのユーザ入力を前記クライアント・システムにおいて受け取って、前記表示特性を調整するために、前記表示装置に前記画像調整画面を表示するステップと、
前記画像調整画面における前記指示に対応する前記画像調整コントロールを操作して前記表示特性を調整するよう前記ユーザに指示するステップと、
前記画像調整画面上において、前記の選択された表示特性とは異なる表示特性を選択するために前記アンカーを操作することを前記ユーザに促すステップと、
を備えるコンピュータ読み取り可能な媒体。
【発明の詳細な説明】
【発明の属する技術分野】
【０００１】
本発明は、全般的にはウェブ・ブラウザ用のユーザ・インタフェースの分野に関し、詳細には表示装置上に表示されたウェブ・ページ画像の画質を調整する方法に関する。
【従来の技術】
【０００２】
インターネットは急速に、家庭および企業のパーソナル・コンピュータのユーザ用の重要な情報・電子通信源になりつつある。インターネット上の大部分の情報は、ＷＷＷと呼ばれるネットワーク上で得ることができる。ＷＷＷとは、インターネットによって論理的に接続された世界中の多数のコンピュータ上に配置されたフォーマットされたハイパーテキスト・ページの集合である。最近まで、家庭環境からインターネットおよびＷＷＷへのアクセスはパーソナル・コンピュータまたはネットワーク・コンピュータのユーザに限られていた。しかし、ネットワーク技術の最近の進歩によって、パーソナル・コンピュータではなく標準テレビジョン・セットを通じてインターネットおよびＷＷＷにアクセスできるようになった。
【０００３】
ＷＷＷから得た情報は、「ウェブ・ブラウザ」と呼ばれるユーザ・インタフェース・プログラムからアクセスされる「ウェブ・ページ」の形で表示される。ＷＷＷから得た情報の大部分はグラフィカル情報であり、通常のウェブ・ページは、テキストと、グラフィック画像と、動画シーケンスとを含むことができる。このグラフィックな内容のために、ウェブ・ページを使用するには、モニタ上でそのような画像を適切に表示することが不可欠である。モニタ上に表示されるウェブ・ページ画像の量は主として、ウェブ・ブラウザの表示機能によって決定される。ブラウザは、広範囲な処理回路およびフィルタリング回路を使用して高画質を確保することができる。しかし、ユーザ・モニタ上の表示設定も画質に顕著な影響を与える。
【０００４】
大部分のコンピュータ・モニタとは異なり、テレビジョン・セットは、様々な信号源からブロードキャスト信号を受信するように設計されている。これらの信号の品質レベルが異なるため、ユーザは多くの場合、視覚的に正しい画像が得られるように画質を調整しなければならない。大部分のテレビジョンでは、ユーザは、コントラスト、輝度、鮮鋭度、色、色相などの画像特性を設定するための設定可能なコントロールを使用することができる。そのようなコントロールは、通常、ユーザが物理的に旋回または摺動させるツマミまたはスライダとすることができる。あるいはユーザがテレビジョンのフロント・パネル上のボタンまたはリモート・コントロール装置上のボタンを通じて設定する画面上コントロールとして実現することができる。ブロードキャスト信号またはケーブル信号と同様に、
テレビジョン・セット上にウェブ・ページを適切に表示するには、テレビジョンの表示コントロールを最適な表示設定値に設定する必要がある。表示中のウェブ・ページに対してテレビジョン画像コントロールが不適切に設定されたために、ブラウザから送信される適切にフィルタされた高画質画像の焦点がかなりずれ、あるいは画像が過度に暗くなり、あるいはコントラストが過度に高くなることがある。クライアント・モニタ上の表示コントロールはユーザしか操作できないので、インターネット・ブラウザは最終的なユーザ・サイトではほとんど表示特性を制御することができない。そのため、テレビジョン表示コントロールを設定するのはユーザの責任になる。
【０００５】
従来技術のウェブ・ブラウザに関連する１つの問題は、ユーザがモニタ表示設定値を適切に設定するように注意あるいは指示されないことである。画質が不十分な画像を見ているユーザは、モニタを適切に調整することによって画質を向上させることに気付かずに、単に、その不十分な画質がブラウザ・フィルタまたは送電線によるものであると考える。この問題は、表示装置がコンピュータ・モニタであるときにはそれほど深刻ではない。なぜなら、十分に確立された業界標準を使用することによって、このようなモニタ向けに最適化されたビデオ信号を生成することができ、それによって広範囲な表示調整なしに通常受け入れられる画質が得られるからである。実際、通常のコンピュータ・ディスプレイは、画質をコントロールする手段を備えておらず、あるいはコントロールを輝度およびコン
トラストに制限している。しかし、テレビジョンおよびその他のモニタを使用してウェブ・ページを表示するようになるにつれて、すべての表示特性に対する制御がますます重要になっている。したがって、テレビジョン・ディスプレイを調整するようユーザに指示すべきである。
【０００６】
従来技術のウェブ・ブラウザの他の欠点は、ウェブ・ブラウザではユーザがモニタ表示特性を容易に調整できないことである。ユーザは、ツマミまたは画面上のメニューを使用して特定の表示特性を調整するにはどうすべきかを知らないことがある。したがって、ウェブ・ブラウザからアクセスされるウェブ・ページの表示量を最適化するように表示コントロールを調整するにはどうすべきかをユーザに教えるウェブ・ブラウザを提供すると有利である。
【０００７】
従来技術のウェブ・ブラウザに関連する他の問題は、ウェブ・ブラウザには、モニタの表示コントロールを調整するための基準がないことである。現在、ユーザは、使い慣れたウェブ・ページ画像を使用して、ウェブ・ページ画像の焦点がずれていないかどうか、あるいはウェブ・ページ画像が過度に暗くないかどうか、あるいはカラー・シフトが不適切でないかどうかを判定することができる。ユーザがテレビジョン表示を調整するための特定の基準を知らないかぎり、ユーザには、テレビジョン表示コントロールを正しく設定するにはどうすべきかがほとんど分からない。したがって、使い慣れたウェブ・ページを使用してモニタの画質を調整するには、使い慣れたウェブ・ページの知識と、適切な設定値を得るための試行錯誤プロセスが必要である。この方法の他の欠点は、特定のウェブ・ペ
ージ向けに設定されたコントロールが他のウェブ・ページには最適でないことがあることである。たとえば、従来技術のウェブ・ブラウザのユーザは通常、特定のウェブ・ページ中の画像が暗すぎ、あるいは明るすぎる場合、モニタの輝度を増減させるが、それらの設定値がすべてのウェブ画像に適切であるかどうかを容易に判定することはできない。したがって、すべての可能な画像に対して表示コントロールを好都合にかつ正確に較正するための基準を設けると有利である。
【発明の開示】
【発明が解決しようとする課題】
【０００８】
前述のことに基づいて、モニタ表示特性の制御が容易であり、ユーザが最適な表示位置が得られるように表示設定値を容易に設定できるような基準が容易に与えられるウェブ・ブラウザ・システムを提供することが望ましい。したがって、モニタ上に表示されるすべてのウェブ・ページ表示を最適化するようにディスプレイ・モニタの表示特性を調整する好都合な方法をユーザに与える方法が望ましい。
【課題を解決するための手段】
【０００９】
本発明は、１つまたは複数のサーバ・システムとの通信においてクライアント・システム内の表示装置上に表示されるウェブ・ページの画質を容易にかつ正確に調整する方法および装置を開示する。
【００１０】
本発明の一態様によれば、表示装置上に画像調整画面が表示される。画像調整画面によって、クライアント表示装置上の画質コントロールを操作するようユーザに促す制御画面にアクセスすることができる。制御画面は、画質コントロールを適切に調整するプロセスにおいてユーザを導く指示も含む。制御画面はさらに、ユーザが、コントロールを使用して画像特性を正確に較正できるようにする試験パターンまたは基準画像を含む。
【００１１】
本発明の他の特徴は、添付の図面および下記の実施形態の詳細な説明から明らかになろう。
【００１２】
本発明を、添付の図面において、制限ではなく一例として示す。図面において、同じ参照符号は同様な要素を示す。
【発明の実施の形態】
【００１３】
ウェブ・ブラウザを使用する表示装置の表示特性を調整する方法および装置について説明する。下記の説明では、説明の都合上、本発明を完全に理解させるために多数の特定の詳細について述べる。しかし、当業者には、これらの特定の詳細なしに本発明を実施できることが明らかになろう。他の例では、本発明を不必要に曖昧にするのを回避するために、良く知られている構造および装置をブロック図で示してある。
【００１４】
下記で詳しく説明するように、本実施形態は、ユーザがＷＷＷ（下記では「ウェブ」と呼ぶ）から得られ、あるいはウェブ・ブラウザまたはウェブ・サービスに組み込まれたウェブ・ページを表示するように表示装置上の表示コントロールを設定できるようにするウェブ・ブラウザを実施するステップを含む。ユーザには制御命令や基準パターンを識別する必要も、あるいはそれを見つける必要もなく、本発明のシステムがユーザのためにこれらの機能を実行する。
【００１５】
一実施形態では、本発明のステップは、機械実行可能な命令として具体化される。この命令を使用して、その命令を用いてプログラムされた汎用プロセッサまたは特殊目的プロセッサに本発明のステップを実行させることができる。別法として、本発明のステップは、ステップを実行するハード配線ロジックを含む特殊ハードウェア構成要素によって実行することも、あるいはプログラム済みコンピュータ構成要素とカスタム・ハードウェア構成要素の任意の組合せによって実行することもできる。
【００１６】
本実施形態は、ＷｅｂＴＶTMと呼ばれるシステムに含まれる。ＷｅｂＴＶTMは、ウェブをブラウズする表示装置として標準テレビジョン・セットを使用し、標準電話、または総合サービス・ディジタル通信網（ＩＳＤＮ）、または同様な通信回線を使用して、インターネットなど従来型のネットワークに接続される。本実施形態によれば、ＷｅｂＴＶTMクライアント・システムのユーザは、１つまたは複数のＷｅｂＴＶTMサーバから与えられるＷｅｂＴＶTMネットワーク・サービスを使用することができる。ＷｅｂＴＶTMネットワーク・サービスを、ＷｅｂＴＶTMクライアント・システムで実行されるソフトウェアと共に使用して、ウェブをブラウズし、電子メールを送信し、インターネットを様々な他の方法で利用することができる。
【００１７】
図１は、一実施形態によるＷｅｂＴＶTMネットワークの基本構成を示す。いくつかのＷｅｂＴＶTMクライアント１が直接ダイヤル二方向データ接続２９、たとえば電話や、ＩＳＤＮや、その他の同様なタイプの接続を介してモデム・プール２に結合される。モデム・プール２は、通常は、当技術分野で従来から知られているようなルータを通じ、インターネットなど従来型のネットワーク・インフラストラクチャ３を介していくつかのリモート・サーバ４に結合される。ＷｅｂＴＶTMシステムは、特にＷｅｂＴＶTMクライアント１をサポートするＷｅｂＴＶTMサーバ５も含む。ＷｅｂＴＶTMクライアント１はそれぞれ、直接あるいはモデム・プール２およびインターネット３を通じてＷｅｂＴＶTMサーバ５に接続される。モデム・プール２が、インターネットおよび民間ネットワークへのアクセスを可能にする、現在世界中に存在するような従来型のモデム・プールであることに
留意されたい。
【００１８】
クライアント・システム・アーキテクチャ
図２は、ＷｅｂＴＶTMクライアント１を示す。ＷｅｂＴＶTMクライアント１は、電子装置１０（下記では「ＷｅｂＴＶTMボックス１０」と呼ぶ）と、通常のテレビジョン・セット１２と、リモート・コントロール１１とを含む。本発明の代替実施形態では、ＷｅｂＴＶTMボックス１０は一体装置としてテレビジョン・セット１２に組み込まれる。ＷｅｂＴＶTMボックス１０は、ユーザがグラフィカル・ユーザ・インタフェースを使用できるようにするハードウェアおよびソフトウェアを含む。このインタフェースによって、ユーザはＷｅｂＴＶTMネットワーク・サービスにアクセスし、ウェブをブラウズし、電子メールを送信し、その他の目的でインターネットにアクセスすることができる。
【００１９】
ＷｅｂＴＶTMクライアント１はテレビジョン・セット１２を表示装置として使用する。テレビジョン・セット１２は、電力、画質、画像源などいくつかの動作パラメータをユーザが制御できるようにするフロント・パネル・ツマミ８を含む。リモート・コントロール装置９を使用してテレビジョン１２の動作を制御することもできる。テレビジョン１２は、赤外線（ＩＲ）通信リンクを介してリモート・コントロール９からコマンドを受信する。代替実施形態では、リモート・コントロール装置９とテレビジョン１２との間のリンク１３は、無線周波数（ＲＦ）でも、あるいは任意の等価伝送モードでもよい。リモート・コントロール装置９から呼び出されるある種の機能によって、テレビジョン１２の画面上に画面上メニューを表示させることができ、リモート・コントロール装置９上のカーソル
・ボタンを介してそのようなメニューを制御することができる。
【００２０】
ＷｅｂＴＶTMボックス１０は、ビデオ・リンク６を介してテレビジョン・セット１２に結合される。ビデオ・リンク６は、ＲＦ、またはＳビデオ、または複合ビデオ、またはその他の等価形態のビデオ・リンクである。ＷｅｂＴＶTMボックス１０とサーバ５との間の通信リンク２９は、電話接続２９ａとＩＳＤＮ接続２９ｂのどちらかである。ＷｅｂＴＶTMボックス１０はＡＣ電力線７を通じてＡＣ（交流電流）電力を受信する。
【００２１】
リモート・コントロール１１は、ウェブをブラウズし、電子メールを送信し、その他のインターネット関連機能を実行する際にＷｅｂＴＶTMクライアント１を制御するためにユーザによって使用される。ＷｅｂＴＶTMボックス１０は、赤外線（ＩＲ）通信リンクを介してリモート・コントロール１１からコマンドを受信する。代替実施形態では、リモート・コントロール１１とＷｅｂＴＶTMボックス１０との間のリンクは、ＲＦでも、あるいは任意の等価伝送モードでもよく、リモート・コントロール１１はリンク１３を通じてテレビジョン・セット１２を制御するように構成することができる。
【００２２】
ＷｅｂＴＶTMボックス１０は、アプリケーション・ソフトウェアを含む。アプリケーション・ソフトウェアは、ボックス１０内のプロセッサによって実行されると、ユーザがグラフィカル・ユーザ・インタフェースを使用できるようにする。ユーザは、このインタフェースによって、ＷｅｂＴＶTMネットワーク・サービスにアクセスし、ウェブをブラウズすることができる。アプリケーション・ソフトウェアは、ＷｅｂＴＶTMボックス１０に電流を印加したときに自動的に実行される。
【００２３】
図３は、ＷｅｂＴＶTMボックス１０の内部特徴のブロック図である。ＷｅｂＴＶTMクライアント１の動作は、特定用途向け集積回路（ＡＳＩＣ）２０に結合された中央演算処理装置（ＣＰＵ）２１によって制御される。ＣＰＵ２１は、本実施形態の機能を実施するように設計されたソフトウェアを実行する。ＡＳＩＣ２０は、ＷｅｂＴＶTMクライアント１から与えられるある種の機能を実施するために使用できる回路を含む。ＡＳＩＣ２０は、テレビジョン１２にオーディオ出力を与えるオーディオ・ディジタル・アナログ変換器２５に結合される。ＡＳＩＣ２０は、テレビジョン・セット１２にビデオ出力を与えるビデオ・エンコーダ２６にも結合される。ＩＲインタフェース２４は、リモート・コントロール１１から送信されたＩＲ信号を検出し、それに応答して、対応する電気信号をＡＳＩＣ
２０に与える。標準電話モデム２７およびＩＳＤＮモデム３０はＡＳＩＣ２０に結合され、それぞれ、モデム・プール２との接続２９ａを確立し、インターネット３を介してリモート・サーバ４との接続２９ｂを確立する。ＷｅｂＴＶTMボックス１０がケーブル・テレビジョン・モデム（図示せず）を含むこともできることに留意されたい。
【００２４】
ＡＳＩＣ２０には読取り専用メモリ（ＲＯＭ）２２も結合される。ＲＯＭは、ＷｅｂＴＶTMボックス１０によって実行されるアプリケーション・ソフトウェアを実施するプログラム・コードを記憶する。ＲＯＭ２２が、プログラム可能なＲＯＭ（ＰＲＯＭ）でも、あるいは任意の形態の消去可能なＰＲＯＭ（ＥＰＲＯＭ）やフラッシュ・メモリでもよいことに留意されたい。ＡＳＩＣ２０にはランダム・アクセス・メモリ（ＲＡＭ）２３も結合される。任意選択で、大容量記憶装置２８を設け、ＡＳＩＣ２０に結合することができる。大容量記憶装置２８を使用してクライアントにソフトウェアまたはデータを入力し、あるいはネットワーク接続２９を介して受信されたデータのソフトウェアをダウンロードすることができる。大容量記憶装置２８は、磁気ディスク、光ディスクなど、機械実行可能
な命令を記憶するための適切な媒体を含む。
【００２５】
アプリケーション・ソフトウェア
前述のように、ＷｅｂＴＶTMボックス１０はウェブ・ブラウザを含むアプリケーション・ソフトウェアを含む。次に図４を参照すると分かるように、前述のアプリケーション・ソフトウェア３１は、オペレーティング・システム（ＯＳ）ソフトウェア３２と共に動作する。ＯＳソフトウェア３２は様々な装置ドライバを含み、そうでない場合は、アプリケーション・ソフトウェア３１とシステム・ハードウェア構成要素４０（すなわち、図３に示した要素）との間のインタフェースを与える。
【００２６】
好ましい実施形態では、アプリケーション・ソフトウェア３１およびＯＳソフトウェア３２はＲＯＭ２２に記憶される。しかし、磁気記憶装置や光学記憶装置を含め、任意の適切な記憶媒体上に、アプリケーション・ソフトウェア３１とＯＳソフトウェア３２のどちらかまたは両方を記憶できることが認識されよう。
【００２７】
本実施形態のウェブ・ブラウザ機能はアプリケーション・ソフトウェア３１によって実施される。図５は、アプリケーション・ソフトウェア３１の様々な構成要素間の機能関係を示す。アプリケーション・ソフトウェア３１は通信マネージャ５０と、ＨＴＭＬ（ハイパー・テキスト・マークアップ言語）パーサ５１と、グラフィックス・エンジン５２と、レイアウト・エンジン５３と、入力システム５４と、ユーザ・インタフェース５６と、選択ハンドラ５５と、ストリーム・マネージャ５７とを含む。クライアント・システムは、ネットワーク接続２９を介してウェブ・ページをＨＴＭＬ文書の形で受信する。ストリーム・マネージャ５７は、システム全体にわたるデータの移動を制御し調整する。
【００２８】
各ＨＴＭＬ文書は最初、通信マネージャ５０に入力される。通信マネージャ５０はＨＴＴＰ（ハイパー・テキスト転送プロトコル）、ＴＣＰ／ＩＰ（伝送制御プロトコル／インターネット・プロトコル）などのハイレベル通信プロトコルの処理を含むネットワーク接続２９を介して、ＨＴＭＬ文書を受信するのに必要な機能を実行する。受信されたＨＴＭＬ文書は通信マネージャ５０からＨＴＭＬパーサ５１に与えられる。ＨＴＭＬパーサ５１は、ＨＴＭＬページ記述子をクライアント・システム用の表示可能なフォーマットに変換する。
【００２９】
良く知られているように、ＨＴＭＬ文書はテキストを含むことも、あるいは画像を参照することもできる。さらに、ＨＴＭＬ文書は、１つまたは複数の「ハイパーテキスト・アンカー」、すなわち他のウェブ・ページとのリンクを可能にする表示可能なオブジェクトを含むことができる。ハイパーテキスト・アンカーは、「ホット・リンク」または「ホット・スポット」と呼ばれることもある。各ハイパーテキスト・アンカーは、特定のＵＲＬ（ユニフォーム・リソース・ロケータ）、またはアンカーによってリンクされるウェブ・ページの位置を表す他の論理アドレスに関連付けられる。ＪＰＥＧ画像情報やＧＩＦ画像情報などの画像情報は、画像の測定および描画に責任を負うグラフィックス・エンジン５２を介して、ＨＴＭＬパーサ５１からレイアウト・エンジン５３に与えられる。
【００３０】
ユーザは、表示されたウェブ・ページ内あるいはいくつかの異なるウェブ・ページ間をブラウズする際、リモート・コントロール１１上のボタンを操作する。リモート・コントロールはそれに応答して、ＷｅｂＴＶTMボックス１０から受信されたＩＲ信号を送信する。入力システム５４は、このような入力を記録し、それを選択ハンドラ５５およびユーザ・インタフェース５６に与える。また、入力システム５４は、入力を待機させ、標準キーボードやＩＲキーボードなど他の様々な入力装置からの入力を処理することができる。ユーザから見えるウェブ・ブラウザの他の態様は、入力システム５４から受信された信号に基づいてユーザ・インタフェース５６から与えられる。
【００３１】
セットアップおよび画面制御
図６は、ＷｅｂＴＶTMネットワーク・サービスのホーム・ページを示す。ホーム・ページは、リモート・コントロール１１上の適切なボタンを押し、あるいはＷｅｂＴＶTMホーム・ページの適切なＵＲＬアドレスを入力システム５４に入力することによってアクセスし、表示することができる。
【００３２】
ＷｅｂＴＶTMホーム・ページ６０は、ＷｅｂＴＶTMロゴ６１と、ホーム・グラフィックス・テキスト・フィールド６２と、ハイパーテキスト・アンカー６３および６４とを含む。ハイパーテキスト・アンカー６３はＷｅｂＴＶTMシステム用のセットアップ・ページとのリンクである。ハイパーテキスト・アンカー６４はＷｅｂＴＶTMシステム用の指示ページとのリンクである。
【００３３】
ユーザがセットアップ・ハイパーテキスト・アンカー６３を選択した場合、ＷｅｂＴＶTMセットアップ画面が表示される。ＷｅｂＴＶTMセットアップ７０画面は、図７に示されており、ハイパーテキスト・アンカー７１および７２を含む。ハイパーテキスト・アンカー７１は画面制御画面とのリンクであり、「Ｄｏｎｅ」とラベル付けされたハイパーテキスト・アンカー７２は、ＷｅｂＴＶTMシステムのホーム・ページ６０に戻るリンクである。ユーザが画面ハイパーテキスト・アンカー７１を選択した場合は、画面制御画面が表示される。ＷｅｂＴＶTM画面制御画面７４は、図８に示されており、ハイパーテキスト・アンカー７５および７６を含む。ハイパーテキスト・アンカー７５は画像調整画面とのリンクであり、「Ｄｏｎｅ」とラベル付けされたハイパーテキスト・アンカー７６は、Ｗｅｂ
ＴＶTMシステムのセットアップ・ページ７０に戻るリンクである。
【００３４】
ユーザが画像調整ハイパーテキスト・アンカー７６を選択した場合は、一連の画像調整画面へのアクセスが開始される。本実施形態の一実施形態によれば、画像コントラスト、輝度、鮮鋭度などディスプレイ・モニタのいくつかの表示特性に関する画像調整画面が与えられる。他の実施形態では、色や、色相や、表示される画像の画質を決定するその他の特性など他の表示特性に関するいくつかの異なる画像調整画面を与えることができる。
【００３５】
コントラスト制御
本発明の一実施形態では、ユーザが画像調整画面７７で継続ハイパーテキスト・アンカー７９を選択した場合、コントラスト制御画面が表示される。図１０は、テレビジョン１２に関するコントラスト調整を行うためのディスプレイを与えるコントラスト制御画面８０を示す。コントラスト制御画面８０は、指示フィールド８１と、試験パターン・フィールド８２と、「継続」ハイパーテキスト・アンカー８３とを含む。指示フィールドは、テレビジョン・セット上でコントラスト・コントロールを呼び出し、フィールド８２に表示された試験パターンの表示を最適化するようにそのコントロールを操作するようユーザに指示するテキストを含む。試験パターン表示フィールド８２は、試験パターンを表示できる領域を備える。ユーザがディスプレイのコントラスト・コントロールを変更したときにコントラスト変更のフィードバックを与えるパターンは、試験パターンとして使用するのに適している。たとえば、そのような１つの試験パターンは、一方の半分が他方の半分よりも明るく表示される円で構成することができる。本発明の一実施形態では、指示フィールド８１は、画面上の画像がエッジで湾曲し始めるまでコントラスト・コントロールを変更するようユーザに伝える指示を含む。多くのディスプレイ・モニタおよびテレビジョン上で、画面が湾曲することは、コントラスト・レベルが不適切に設定されていることを示す。
【００３６】
テレビジョン１２で、ユーザがコントラスト・ツマミを旋回させてコントラストを調整する必要がある場合、ユーザはそれに応じてツマミを旋回または摺動させる必要がある。テレビジョン１２が電子表示制御と画面上表示メニューとを備えている場合、ユーザはそれに応じてコントラスト・コントロールを呼び出す必要がある。画面上表示コントロールは、テレビジョン・コントロールを使用して制御され操作される。これらのコントロールをＷｅｂＴＶTMシステムによって直接制御することはできない。ユーザは、使用するテレビジョンのタイプに応じて通常、フロント・パネル・ボタン８、またはテレビジョン・リモート制御装置９上のボタンを通じて画面上メニューを呼び出す。
【００３７】
図１１は、テレビジョン・ディスプレイ用のコントラスト制御メニュー８４がオーバレイされたＷｅｂＴＶTMシステムのコントラスト制御画面８０を示す。ユーザは、適切な制御装置を使用して、コントラスト・カーソルをコントラスト・スケールに沿って摺動させる。カーソルをスケールに沿って移動させると、フィールド８２内の画面または試験パターンがそれに応じて変化する。ユーザは、試験パターンの最適なコントラストに応じてコントラスト設定値を選択する。ユーザは、ディスプレイのコントラストを適切な位置に設定した後、継続アンカー８３を選択し次の画像調整画面を呼び出す。
【００３８】
輝度制御
本発明の一実施形態では、ユーザがコントラスト制御画面８０で継続ハイパーテキスト・アンカー８３を選択した場合、輝度制御画面が表示される。図１２は、テレビジョン１２に関する輝度調整を行うことのできるディスプレイを与える輝度制御画面９０を示す。輝度制御画面９０は、指示フィールド９１と、試験パターン・フィールド９２と、「継続」ハイパーテキスト・アンカー９３とを含む。指示フィールドは、テレビジョン・セット上で輝度コントロールを呼び出し、フィールド９２に表示された試験パターンの表示を最適化するようにそのコントロールを操作するようユーザに指示するテキストを含む。試験パターン表示フィールド９２は、試験パターン・グラフィックを含む。本発明の一実施形態では、この試験パターンは、黒いボックスを背景にして表示された文字「Ａ」のブロッ
ク文字表面からなる。文字はある明度で示され、ボックスは第２の明度で示される。指示フィールド９１は、文字「Ａ」が黒い背景に対してかろうじて見えるようになるまでテレビジョン１２上の輝度コントロールを変更するようユーザに伝える指示を含む。この時点で、表示される画像の輝度が適切に設定される。
【００３９】
テレビジョン１２が輝度ツマミを旋回させて画像輝度を調整する必要がある場合、ユーザはそれに応じてツマミを旋回または摺動させる必要がある。テレビジョン１２が電子表示制御と画面上表示メニューとを備えている場合、ユーザはそれに応じて輝度コントロールを呼び出す必要がある。画面上表示コントロールは、テレビジョン・コントロールを使用して制御され操作される。これらのコントロールをＷｅｂＴＶTMシステムによって直接制御することはできない。ユーザは、使用するテレビジョンのタイプに応じて通常、フロント・パネル・ボタン８、またはテレビジョン・リモート制御装置９上のボタンを通じて画面上メニューを呼び出す。
【００４０】
図１３は、テレビジョン・ディスプレイ用の輝度制御メニュー９４がオーバレイされたＷｅｂＴＶTMシステムの輝度制御画面９０を示す。ユーザは、適切な制御装置を使用して、輝度カーソルを輝度スケールに沿って摺動させる。カーソルをスケールに沿って移動させると、試験パターン９２の外観がそれに応じて変化する。ユーザは、試験パターンの最適な輝度に応じて輝度設定値を選択する。ユーザは、ディスプレイの輝度を適切な位置に設定した後、継続アンカー９３を選択し次の画像調整画面を呼び出す。
【００４１】
鮮鋭度制御
本発明の一実施形態では、ユーザが輝度制御画面９０で継続ハイパーテキスト・アンカー９３を選択した場合、鮮鋭度制御画面が表示される。図１４は、テレビジョン１２に関する鮮鋭度調整を行うことのできるディスプレイを与える鮮鋭度制御画面１３０を示す。鮮鋭度制御画面１３０は、指示フィールド１３１と、試験パターン・フィールド１３２と、「継続」ハイパーテキスト・アンカー１３３とを含む。指示フィールドは、テレビジョン・セット上で鮮鋭度コントロールを呼び出し、フィールド１３２に表示された試験パターンの表示を最適化するようにそのコントロールを操作するようユーザに指示するテキストを含む。試験パターン表示フィールド１３２は、試験パターン・グラフィックを含む。本発明の一実施形態では、この試験パターンは、白い背景に対して表示された黒いテキストの文からなる。指示フィールド１３１は、黒い文字の輪郭が白い背景に対して最も読みやすくなるまでテレビジョン１２上の鮮鋭度コントロールを変更するようユーザに伝える指示を含む。この時点で、表示される画像の鮮鋭度が適切に設定される。
【００４２】
テレビジョン１２で、ユーザが鮮鋭度ツマミを旋回させて画像鮮鋭度を調整する必要がある場合、ユーザはそれに応じてツマミを旋回または摺動させる必要がある。テレビジョン１２が電子表示制御と画面上表示メニューとを備えている場合、ユーザはそれに応じて鮮鋭度コントロールを呼び出す必要がある。画面上表示コントロールは、テレビジョン・コントロールを使用して制御され、操作される。これらのコントロールをＷｅｂＴＶTMシステムによって直接制御することはできない。ユーザは、使用するテレビジョンのタイプに応じて通常、フロント・パネル・ボタン８、またはテレビジョン・リモート制御装置９上のボタンを通じて画面上メニューを呼び出す。ある種のテレビジョン上では、鮮鋭度機能が「画像」と呼ばれていることに留意されたい。
【００４３】
図１５は、テレビジョン・ディスプレイ用の鮮鋭度制御メニュー１３４がオーバレイされたＷｅｂＴＶTMシステムの鮮鋭度制御画面１３０を示す。ユーザは、適切な制御装置を使用して、鮮鋭度カーソルを鮮鋭度スケールに沿って摺動させる。カーソルをスケールに沿って移動させると、試験パターン１３２の外観がそれに応じて変化する。ユーザは、試験パターンの最適な鮮鋭度に応じて鮮鋭度設定値を選択する。ユーザは、ディスプレイの鮮鋭度を適切な位置に設定した後、継続アンカー１３３を選択し次の画像調整画面を呼び出す。
【００４４】
色制御
コントラスト、輝度、鮮鋭度だけでなく、色や色相など他の表示特性に関する画像調整画面を設けることもできる。図１６は、テレビジョン１２に関する色調整を行うことのできるディスプレイを与えるために設けることのできる色制御画面１４０を示す。そのような色制御画面は、ユーザが、鮮鋭度制御画面１３０で継続ハイパーテキスト・アンカー１３３を選択することによって、利用することができる。色制御画面１４０は、指示フィールド１４１と、試験パターン・フィールド１４２と、「継続」ハイパーテキスト・アンカー１４３とを含む。指示フィールドは、テレビジョン・セット上で色コントロールを呼び出し、フィールド１４２に表示された試験パターンの表示を最適化するようにそのコントロールを操作するようユーザに指示するテキストを含む。試験パターン表示フィールド１４２は、試験パターンを表示できる領域を備える。ユーザがディスプレイの色コントロールを変更したときに色変更のフィードバックを与えるパターンは、試験パターンとして使用するのに適している。指示フィールド１４１は、フィールド１４２内の試験パターンが受け入れられる色強度のものになるまでテレビジョン１２上の色コントロールを変更するようユーザに伝える指示を含む。
【００４５】
テレビジョン１２が色ツマミを旋回させて画像カラーを調整する必要がある場合、ユーザはそれに応じてツマミを旋回または摺動させる必要がある。テレビジョン１２が電子表示制御と画面上表示メニューとを備えている場合、ユーザはそれに応じて色コントロールを呼び出す必要がある。画面上表示コントロールは、テレビジョン・コントロールを使用して制御され操作される。これらのコントロールをＷｅｂＴＶTMシステムによって直接制御することはできない。ユーザは、使用するテレビジョンのタイプに応じて通常、フロント・パネル・ボタン８、またはテレビジョン・リモート制御装置９上のボタンを通じて画面上メニューを呼び出す。
【００４６】
図１７は、テレビジョン・ディスプレイ用の色制御メニュー１４４がオーバレイされたＷｅｂＴＶTMシステムの色制御画面１４０を示す。ユーザは、適切な制御装置を使用して、色カーソルを色スケールに沿って摺動させる。カーソルをスケールに沿って移動させると、試験パターンの外観がそれに応じて変化する。ユーザはテスト・パターンの最適色に従って色設定を選択する。ユーザは、ディスプレイの色を適切な位置に設定した後、継続ハイパーテキスト・アンカー１４３を選択し、次の画像調整画面を呼び出す。
【００４７】
色相制御
色相は、本実施形態の方法によって調整できるもう１つの表示特性である。図１８は、テレビジョン１２に関する色相調整を行うことのできるディスプレイを与えるために設けることのできる色相制御画面１５０を示す。そのような色相制御画面は、ユーザが色制御画面１４０で継続ハイパーテキスト・アンカー１４３を選択することによって、利用することができる。色相制御画面１５０は、指示フィールド１５１と、試験パターン・フィールド１５２と、「継続」ハイパーテキスト・アンカー１５３とを含む。指示フィールドは、テレビジョン・セット上で色相コントロールを呼び出し、フィールド１５２に表示された試験パターンの表示を最適化するようにそのコントロールを操作するようユーザに指示するテキストを含む。試験パターン表示フィールド１５２は、試験パターンを表示できる領域を備える。ユーザがディスプレイの色相コントロールを変更したときに色変更のフィードバックを与えるパターンは、試験パターンとして使用するのに適している。指示フィールド１５１は、試験パターンの色重みが適切な外観のものになるまでテレビジョン１２上の色相コントロールを変更するようユーザに伝える指示を含む。
【００４８】
テレビジョン１２が色相ツマミを旋回させて画像色相を調整する必要がある場合、ユーザはそれに応じてツマミを旋回または摺動させる必要がある。テレビジョン１２が電子表示制御と画面上表示メニューとを備えている場合、ユーザは、それに応じて色相コントロールを呼び出す必要がある。画面上表示コントロールは、テレビジョン・コントロールを使用して制御され操作される。これらのコントロールをＷｅｂＴＶTMシステムによって直接制御することはできない。ユーザは、使用するテレビジョンのタイプに応じて通常、フロント・パネル・ボタン８またはテレビジョン・リモート制御装置９上のボタンを通じて画面上メニューを呼び出す。
【００４９】
図１９は、テレビジョン・ディスプレイ用の色相制御メニュー１５４がオーバレイされたＷｅｂＴＶTMシステムの色相制御画面１５０を示す。ユーザは、適切な制御装置を使用して、色相カーソルを色相スケールに沿って摺動させる。カーソルをスケールに沿って移動させると、試験パターン１５２の外観がそれに応じて変化する。ユーザは、試験パターンの最適な色相に応じて色相設定値を選択する。ユーザは、ディスプレイの色相を適切な位置に設定した後、継続アンカー１５３を選択し、次の画像調整画面を呼び出す。後に続く画像調整画面がなくなった場合、ＷｅｂＴＶTMセットアップ画面７０が表示される。
【００５０】
表示調整操作
図２０、２１は、本発明の一実施形態によってウェブ・ページの表示を最適化するようにテレビジョン・ディスプレイの表示特性を調整する方法を示す。ユーザは、ステップ１００でＷｅｂＴＶTMホーム・ページを入力することによって操作を開始する。図６に示したように、ＷｅｂＴＶTMホーム・ページ６０は、２つのハイパーテキスト・アンカー、すなわちセットアップ・ハイパーテキスト・アンカーと指示ハイパーテキスト・アンカーとを含む。ユーザがステップ１０２でセットアップ・アンカー６３を選択した場合、図７に示したＷｅｂＴＶTMセットアップ画面７０が表示される。セットアップ画面７０内の画面ハイパーテキスト・アンカー７１を選択すると、図８に示した画面制御画面７４が表示される。
【００５１】
図８に示したように、ＷｅｂＴＶTM画面制御画面７４は、２つのハイパーテキスト・アンカー、すなわち中央ハイパーテキスト・アンカーと画像ハイパーテキスト・アンカーとを含む。ユーザがステップ１０４で画像アンカー７６を選択した場合、図７に示すＷｅｂＴＶTM画像調整画面が表示される。ＷｅｂＴＶTM画像調整画面は、ＷｅｂＴＶTM画像調整画面を使用してテレビジョンの画質を調整するにはどうすべきかをユーザに伝える指示を含む。画像調整画面は、ハイパーテキスト・アンカー「継続」も含む。ユーザがステップ１０５で継続アンカーを選択した場合、コントラスト制御画面８０が表示される。
【００５２】
ステップ１０６で、ユーザは、テレビジョンの動作に応じてテレビジョン・コントラスト制御ツマミまたは画面上コントラスト制御メニュー・カーソルを調整する。ユーザは、表示が正しくなり、あるいはコントラスト制御画面上に表示された試験パターンのコントラストが所望のレベルになるようにコントラスト設定値を調整する。図１０に示したコントラスト制御画面８０はハイパーテキスト・アンカー「継続」を含む。ユーザがステップ１０７で継続アンカーを選択した場合、輝度制御画面９０が表示される。別法として、ユーザは、リモート・コントロール１１上の適切なコントロールを押すことによってＷｅｂＴＶTMホーム・ページを再入力することができる。
【００５３】
ステップ１０８で、ユーザは、テレビジョンの動作に応じてテレビジョン輝度制御ツマミまたは画面上輝度制御メニュー・カーソルを調整する。ユーザは、輝度制御画面上に表示された試験パターンの輝度が所望のレベルになるように輝度設定値を調整する。図１２に示した輝度制御画面９０はハイパーテキスト・アンカー「継続」を含む。ユーザがステップ１０９で継続アンカーを選択した場合、鮮鋭度制御画面１３０が表示される。別法として、ユーザは、リモート・コントロール１１上の適切なコントロールを押すことによってＷｅｂＴＶTMホーム・ページを再入力することができる。
【００５４】
ステップ１１０で、ユーザは、テレビジョンの動作に応じてテレビジョン鮮鋭度制御ツマミまたは画面上鮮鋭度制御メニュー・カーソルを調整する。ユーザは、鮮鋭度制御画面上に表示された試験パターンの鮮鋭度が所望のレベルになるように鮮鋭度設定値を調整する。図１４に示した鮮鋭度制御画面１３０はハイパーテキスト・アンカー「継続」を含む。ユーザがステップ１１１で継続アンカーを選択した場合、色制御画面１４０が表示される。別法として、ユーザは、リモート・コントロール１１上の適切なコントロールを押すことによってＷｅｂＴＶTMホーム・ページを再入力することができる。
【００５５】
ステップ１１２で、ユーザは、テレビジョンの動作に応じてテレビジョン色制御ツマミまたは画面上色制御メニュー・カーソルを調整する。ユーザは、色制御画面上に表示された試験パターンの表示または色が所望のレベルになるように色設定値を調整する。図１６に示した色制御画面１４０はハイパーテキスト・アンカー「継続」を含む。ユーザがステップ１１３で継続アンカーを選択した場合、色相制御画面１５０が表示される。別法として、ユーザは、リモート・コントロール１１上の適切なコントロールを押すことによってＷｅｂＴＶTMホーム・ページを再入力することができる。
【００５６】
ステップ１１４で、ユーザは、テレビジョンの動作に応じてテレビジョン色相制御ツマミまたは画面上色相制御メニュー・カーソルを調整する。ユーザは、色相制御画面上に表示された試験パターンの表示または色相が所望のレベルになるように色相設定値を調整する。図１８に示した色相制御画面１５０はハイパーテキスト・アンカー「終了」を含む。ユーザが終了アンカーを選択した場合、ＷｅｂＴＶTMホーム・ページが表示され、ユーザは通常のウェブ・ブラウジング操作を継続することができる。
【００５７】
上記の開示に示した方法によって、上記にリストした表示特性だけでなく他の表示特性の制御を容易にする他の表示調整画面を実施できることに留意されたい。同様に、本実施形態を実施するうえで、上記で開示したすべての画像調整画面を作成しそれにアクセスする必要があるわけではない。
【００５８】
本発明の他の実施形態では、画像調整画面は、画面上に組み込みグラフィックとして表示された組み込み試験パターン・グラフィックスを用いない。その代わり、表示調整画面自体を基準パターンとして使用して、表示装置の画質が較正される。別法として、画像調整画面は、それ自体を試験パターンまたは適切なグラフィックを含む別の画面にリンクするハイパーテキスト・アンカーを含むことができる。
【００５９】
制御画面オーサリング
本発明の一実施形態では、当業者に良く知られている標準ＨＴＭＬコマンド構造を使用してＷｅｂＴＶTMホーム・ページおよびセットアップ・ページが作成される。同様に、輝度、コントラスト、鮮鋭度、色、色相の各画像調整画面も、ＨＴＭＬオブジェクトおよびプログラム・リンクを構築することによって作成される。様々な異なるページ・フォーマットおよびシーケンスを使用して本実施形態を達成することができる。
【００６０】
他の実施形態によれば、画像調整画面は、ビット・マップ画像または標準グラフィック・フォーマット画像を使用して生成し、ネットワーク・インタフェースを通じあるいはブロードキャスト信号を介して表示装置上に表示することができる。そのような実施形態では、画像調整画面は、ウェブ・ブラウザを使用してＷＷＷからアクセスされるウェブ・ページである必要はなく、その代わり、コンピュータ・ディスプレイ用のローカル・エリア・ネットワークまたはテレビジョン用の放送システムなど、表示装置が通常使用されるシステム内で作成され、伝送され、表示されるタイプの画像であってよい。他の実施形態では、画像調整画面を表示装置内に組み込み機能としてプログラムし、専用制御ボタンまたは画面上メニューを通じてこのような画面上にアクセスすることができる。
【００６１】
画像調整画面に含まれる試験パターンは、調整すべき表示特性を強調するように設計される。本発明の一実施形態では、画面自体の特性、すなわちエッジ・ベンドを使用して、コントラスト・レベルが測定される。しかし、別法として、特定の表示モニタ用の黒と白との間のコントラストを効果的に測定することができる、白パターンと白パターンに隣接して設定された黒パターンからなるコントラスト試験パターンを設けることができる。同様に、輝度制御画面用の試験パターンは、上下に重ねられたそれぞれの異なる輝度レベルの２つのグラフィック・オブジェクトからなる。これによって、互いに関係する２つのオブジェクトの相互輝度レベルを直接比較できるようにするパターンが生成される。鮮鋭度試験パターンは、白い背景に対して表示されたそれぞれの異なるポイント・サイズの黒い
テキストのワードからなる。これによって画像の鮮鋭度を示すグラフィック画像のエッジの周りのぼけを明確に視角化することができる。色制御画面用の試験パターンは、赤、緑、青、黄色の色範囲を表示する業界標準色棒グラフなどのパターンでよい。通常の色チャートは、白および３種類の黒に関するフィールドも含む。代替実施形態では、色チャート内の１つの黒色パターンを負の黒としてプログラムすることができる。負の黒は、標準黒に関してコード化された値よりも低い色値を有する。色相制御画面用の試験パターンは、単に赤、緑、青パターンからなるパターンでよい。これによって、色相コントロールを調整する際にディスプレイ・モニタによって表示される色シフトを測定する手段が与えられる。
【００６２】
各試験パターンは、標準ＨＴＭＬオブジェクトまたはファンクション・コールを通じてそれぞれの画像調整画面内に組み込まれたグラフィックス・オブジェクトである。一実施形態では、試験パターンは走査され、あるいはコンピュータ・システムにダウンロードされ、ＧＩＦフォーマットで圧縮される。ＧＩＦは、ビット・マップ・グラフィカル画像をコード化するために使用されるディクショナリ・ベースの圧縮方式である。ＧＩＦ画像のＨＴＭＬウェブ・ページへの組み込みは、当業者に知られている技術を使用して行われる。
【００６３】
他の実施形態では、試験パターンは、ＣＡＤまたは図面プログラムによって作成され、ビット・マップ（ＢＭＰ）形式で記憶され、標準ＨＴＭＬリンクを通じてＨＴＭＬウェブ・ページに組み込まれる。
【００６４】
試験画像がＪＰＥォーマットなどいくつかの標準圧縮技法のうちの１つを使用して生成し表示することができることに留意されたい。
【００６５】
試験パターンが業界専門家が使用する試験パターンである必要がなく、その代わり、調整すべき表示特性を備えたパターンでよいことに留意されたい。たとえば、色調整に色の配列を使用し、コントラストおよび鮮鋭度の調整に白地の黒を使用することができる。
【００６６】
したがって、ユーザが、ウェブ・ブラウザ・プログラムを使用して表示装置上に表示されたウェブ・ページの画質を調整できるようにする方法および装置について説明した。本発明を特定の例示的な実施形態を参照して説明したが、特許請求の範囲に記載された本発明の広範囲な趣旨および範囲から逸脱せずにこれらの実施形態に様々な修正および変更を加えられることは明白である。したがって、明細書および図面は、制限的なものではなく例示的なものとみなすべきである。
【図面の簡単な説明】
【００６７】
【図１】ＷｅｂＴＶTMサーバ・システムに接続されたＷｅｂＴＶTMクライアント・システムを示す図である。
【図２】ＷｅｂＴＶTMクライアント・システムを示す図である。
【図３】本発明の一実施形態によってウェブ・ブラウザを実施するために使用される電子装置のブロック図である。
【図４】ウェブ・ブラウザ・アプリケーション・ソフトウェアのブロック図である。
【図５】図３のクライアント・プロセッシング・システム内のハードウェアとソフトウェアとの間の機能関係を示す図である。
【図６】ＷｅｂＴＶTMウェブ・ブラウザ・プログラムのホーム・ページを示す図である。
【図７】ＷｅｂＴＶTMウェブ・ブラウザ・プログラムのセットアップ画面を示す図である。
【図８】ＷｅｂＴＶTMウェブ・ブラウザ・プログラムの画面制御画面を示す図である。
【図９】ＷｅｂＴＶTMウェブ・ブラウザ・プログラムの画像調整画面を示す図である。
【図１０】ＷｅｂＴＶTMウェブ・ブラウザ・プログラムのコントラスト制御画面を示す図である。
【図１１】オーバレイされたテレビジョン画面上制御メニューを含むＷｅｂＴＶTMウェブ・ブラウザ・プログラムのコントラスト制御画面を示す図である。
【図１２】ＷｅｂＴＶTMウェブ・ブラウザ・プログラムの輝度制御画面を示す図である。
【図１３】オーバレイされたテレビジョン画面上制御メニューを含むＷｅｂＴＶTMウェブ・ブラウザ・プログラムの輝度制御画面を示す図である。
【図１４】ＷｅｂＴＶTMウェブ・ブラウザ・プログラムの鮮鋭度制御画面を示す図である。
【図１５】オーバレイされた画面上制御メニューを含むＷｅｂＴＶTMウェブ・ブラウザ・プログラムの鮮鋭度制御画面を示す図である。
【図１６】ＷｅｂＴＶTMウェブ・ブラウザ・プログラムの色制御画面を示す図である。
【図１７】オーバレイされた画面上制御メニューを含むＷｅｂＴＶTMウェブ・ブラウザ・プログラムの色制御画面を示す図である。
【図１８】ＷｅｂＴＶTMウェブ・ブラウザ・プログラムの色相制御画面を示す図である。
【図１９】オーバレイされた画面上制御メニューを含むＷｅｂＴＶTMウェブ・ブラウザ・プログラムの色相制御画面を示す図である。
【図２０】本発明の実施形態によって表示モニタの表示特性を調整する手順を示すフローチャートである。
【図２１】本発明の実施形態によって表示モニタの表示特性を調整する手順を示すフローチャートである。
【図１】
0004637946.tif 000002
【図２】
0004637946.tif 000003
【図３】
0004637946.tif 000004
【図４】
0004637946.tif 000005
【図５】
0004637946.tif 000006
【図６】
0004637946.tif 000007
【図７】
0004637946.tif 000008
【図８】
0004637946.tif 000009
【図９】
0004637946.tif 000010
【図１０】
0004637946.tif 000011
【図１１】
0004637946.tif 000012
【図１２】
0004637946.tif 000013
【図１３】
0004637946.tif 000014
【図１４】
0004637946.tif 000015
【図１５】
0004637946.tif 000016
【図１６】
0004637946.tif 000017
【図１７】
0004637946.tif 000018
【図１８】
0004637946.tif 000019
【図１９】
0004637946.tif 000020
【図２０】
0004637946.tif 000021
【図２１】
0004637946.tif 000022